(57)【要約】【課題】挿入力を抑えつつ、が取付孔から抜け難い巻きカラーを備えるコネクタを提供する。【解決手段】本明細書で開示されるコネクタ１０は、相手側機器に取付けられる板状の取付部１２と、取付部１２に開口して設けられた取付孔２０に装着され、スリット３４によって縮径自在に撓み可能とされた巻きカラー２２と、を備えるコネクタ１０であって、巻きカラー２２が取付孔２０に装着される前の巻きカラー２２の外径Ｒ１は、取付孔２０の内径Ｒ２よりも大きい径となっており、巻きカラー２２の外周面３２には、凹部（第１嵌合部）３６が設けられており、取付孔２０の内周面２４には、凹部（第１嵌合部）３６と取付孔２０の径方向に嵌合可能な凸部（第２嵌合部）２６が設けられており、巻きカラー２２が取付孔２０に装着される際は、凹部（第１嵌合部）３６と凸部（第２嵌合部）２６とが嵌合して取付孔２０の軸方向に係止可能とされる。【選択図】図４
2019192396.tif 000002
【特許請求の範囲】
【請求項１】
相手側機器に取付けられる板状の取付部と、前記取付部に開口して設けられた取付孔に装着され、スリットによって縮径自在に撓み可能とされた巻きカラーと、を備えるコネクタであって、
前記巻きカラーが前記取付孔に装着される前の前記巻きカラーの外径は、前記取付孔の内径よりも大きい径となっており、
前記巻きカラーの外周面には、第１嵌合部が設けられており、
前記取付孔の内周面には、前記第１嵌合部と前記取付孔の径方向に嵌合可能な第２嵌合部が設けられており、
前記巻きカラーが前記取付孔に装着される際は、前記第１嵌合部と前記第２嵌合部とが嵌合して前記取付孔の軸方向に係止可能とされるコネクタ。
【請求項２】
前記第１嵌合部は、前記巻きカラーの前記外周面に周設された凹部であり、
前記第２嵌合部は、前記取付孔の前記内周面に周設された凸部である請求項１に記載のコネクタ。
【請求項３】
前記凸部は、前記凸部の先端に向けて径が細くなるテーパー状をなしている請求項２に記載のコネクタ。
【請求項４】
前記凸部は、前記取付孔の一方の開口部と他方の開口部との間の中央に位置している請求項２又は請求項３に記載のコネクタ。
【請求項５】
前記巻きカラーの前記外周面の端部は、前記巻きカラーの端面に向かって径が細くなるテーパー状をなしている請求項１から請求項４のいずれか一項に記載のコネクタ。
【発明の詳細な説明】
【技術分野】
【０００１】
本明細書によって開示される技術は、コネクタに関する。
【背景技術】
【０００２】
従来のコネクタの一例として、特開２０１７−２１２０３０号公報（下記特許文献１）に記載のコネクタが知られている。このコネクタは、正方形状をなす取付板を有しており、取付板の４つの角部には、カラー装着孔がそれぞれ設けられている。カラー装着孔には、円筒状のカラーが圧入により装着されている。
【先行技術文献】
【特許文献】
【０００３】
【特許文献１】特開２０１７−２１２０３０号公報
【発明の概要】
【発明が解決しようとする課題】
【０００４】
カラー装着孔にカラーを圧入する際には、一般的に、大きな挿入力が必要となり、これにより、カラー挿入孔の内壁が削れてしまうという問題があるが、例えば、軸方向にスリットが設けられたＣ型の巻きカラーを用いると、圧入時に巻きカラーが撓むため、カラーの挿入力は低減される。しかしながら、巻きカラーは、撓んだ際の反力によりカラー装着孔内に保持されることから保持力が低く、巻きカラーがカラー装着孔から抜けてしまうという問題がある。
【０００５】
本明細書に開示された技術は上記のような事情に基づいて完成されたものであって、カラーの挿入力を抑えつつ、カラーがカラー装着孔から抜け難いコネクタを提供することを目的とする。
【課題を解決するための手段】
【０００６】
本明細書で開示されるコネクタは、相手側機器に取付けられる板状の取付部と、前記取付部に開口して設けられた取付孔に装着され、スリットによって縮径自在に撓み可能とされた巻きカラーと、を備えるコネクタであって、前記巻きカラーが前記取付孔に装着される前の前記巻きカラーの外径は、前記取付孔の内径よりも大きい径となっており、前記巻きカラーの外周面には、第１嵌合部が設けられており、前記取付孔の内周面には、前記第１嵌合部と前記取付孔の径方向に嵌合可能な第２嵌合部が設けられており、前記巻きカラーが前記取付孔に装着される際は、前記第１嵌合部と前記第２嵌合部とが嵌合して前記取付孔の軸方向に係止可能とされる。
【０００７】
巻きカラーが取付孔に装着されると、巻きカラーの外径は取付孔の内径よりも大きいことから巻きカラーが縮径しながら撓んで反力を生じさせるとともに、第１嵌合部と第２嵌合部とが嵌合して取付孔の軸方向に係止可能となるため、巻きカラーの反力のみによって巻きカラーを取付孔に装着する場合よりも巻きカラーが取付孔から抜け落ちることが抑制される。
【０００８】
また、前記第１嵌合部は、前記巻きカラーの前記外周面に周設された凹部であり、前記第２嵌合部は、前記取付孔の前記内周面に周設された凸部である構成としても良い。
【０００９】
巻きカラーの外周面に周設された凹部と、取付孔の内周面に周設された凸部とが嵌合することで、巻きカラーが取付孔から抜け落ちることが抑制される。
【００１０】
また、前記凸部は、前記凸部の先端に向けて径が細くなるテーパー状をなしている構成としても良い。
巻きカラーを取付孔に取付ける際に、巻きカラーの外周面の端部が取付孔の内周面に設けられた凸部に当たることとなるが、凸部は先端に向けて径が細くなるテーパー状をなしているため、巻きカラーは径が小さくなる方向に撓み易くなる。これにより、巻きカラーの挿入力を低減することができる。
【００１１】
また、前記凸部は、前記取付孔の一方の開口部と他方の開口部との間の中央に位置している構成としても良い。
【００１２】
巻きカラーを取付孔に圧入して装着する際の巻きカラーの挿入力のピークは、巻きカラーの外周面が凸部に乗り上げる際に訪れるが、この凸部は、取付孔の一方の開口部と他方の開口部との間の中央に位置しているため、巻きカラーを取付孔の一方の開口部側から取り付けても、他方の開口部側から取り付けても、挿入力のピークを同じタイミングにすることができる。
【００１３】
また、前記巻きカラーの前記外周面の端部は、前記巻きカラーの端面に向かって径が細くなるテーパー状をなしている構成としても良い。
【００１４】
巻きカラーを取付孔に取付ける際に、巻きカラーの外周面の端部が取付孔の内周面に設けられた凸部に当たることとなるが、巻きカラーの外周面の端部はテーパー状をなしているため、巻きカラーは縮径する方向に撓み易くなる。これにより、巻きカラーの挿入力を低減することができる。
【発明の効果】
【００１５】
本明細書に開示されるコネクタによれば、挿入力を抑えつつ、が取付孔から抜け難い巻きカラーを備えるコネクタを提供することができる。
【図面の簡単な説明】
【００１６】
【図１】本実施形態におけるコネクタの斜視図
【図２】コネクタの正面図
【図３】図２におけるＡ−Ａ断面図
【図４】図３における取付孔付近の拡大図
【図５】巻きカラー装着前のコネクタの斜視図
【図６】図３において、巻きカラーが装着されていない状態の断面図
【図７】図６における取付孔付近の拡大図
【図８】巻きカラー単体の斜視図
【図９】巻きカラー単体の側面図
【発明を実施するための形態】
【００１７】
＜実施形態＞
図１から図９を参照して本実施形態を説明する。以降の説明では、図１から図９のＸ方向を前方、Ｙ方向を右方、Ｚ方向を上方とする。
【００１８】
本実施形態のコネクタ１０は、車両の機器に接続されるコネクタ１０であって、図１に示すように、方形板状をなし、車両の機器側（図示せず）に取付けられる取付部１２と、取付部１２の前面から前方に突出し、機器側ハウジング（図示せず）と嵌合されるハウジング１４と、を備えている。
【００１９】
ハウジング１４は、取付部１２の前面から前方にフード状に開口するフード部１６と、フード部１６の内部に設けられ、端子が収容される端子収容部１８とから構成されている。
【００２０】
取付部１２の四隅には、図１に示すように、それぞれ取付孔２０が開口して設けられており、取付孔２０には、巻きカラー２２が装着されている。取付孔２０の内周面２４には、図５から図７に示すように、取付孔２０の中央に向けて突出する凸部（第２嵌合部）２６が周設されており、凸部２６は、図７に示すように、突出方向の先端に向けて径が細くなるテーパー状をなしている。凸部２６は、取付孔２０の前方の開口部（一方の開口部）２８と後方の開口部（他方の開口部）３０との間の中央に位置している。
【００２１】
取付孔２０の内周面２４の前端部は、図７に示すように、前方の開口部２８の開口縁に向けて径が大きくなるテーパー状の部分とされており、取付孔２４の内周面２４の後端部は、後方の開口部３０の開口縁に向けて径が大きくなるテーパー状の部分とされている。これらのテーパー状の部分が、取付孔２０に巻きカラー２２を装着する際のガイドとなる。
【００２２】
巻きカラー２２は、図８に示すように、前後方向に長い円筒形状をなしており、その外周面３２には、軸方向（前後方向）にスリット３４が設けられている。このスリット３４によって、巻きカラー２２は、縮径自在に撓み可能となっている。巻きカラー２２の外周面３２には、図９に示すように、溝状の凹部（第１嵌合部）３６が周設されており、凹部３６の内面は、凹部３６の前端開口縁及び凹部３６の後端開口縁から凹部３６の前後方向の中央に向かってそれぞれ傾斜するテーパー状をなしている。巻きカラー２２の外周面３２の前端部（端部）３８は、巻きカラー２２の前面（端面）４０に向かって径が細くなるテーパー状をなしており、巻きカラー２２の外周面３２の後端部（端部）４２は、巻きカラー２２の後面（端面）４４に向かって径が細くなるテーパー状をなしている。自然状態における巻きカラー２２の外径Ｒ１（図９に示す）は、取付部１２の取付孔２０の内径Ｒ２（図７に示す）よりも大きい径となっている。
【００２３】
次に、図４及び図７を参照して、本実施形態の作用について説明する。
巻きカラー２２を取付部１２の取付孔２０に前方から装着をする。このとき、巻きカラー２２を縮径させた状態で取付孔２０に前方から挿通すると、巻きカラー２２の外周面３２が取付孔２０の内周面２４と摺動しながら、巻きカラー２２は、取付孔２０の内部に押し込まれる。
【００２４】
巻きカラー２２を取付孔２０の内部に挿通していくと、巻きカラー２２の後端部４２が、取付孔２０内の凸部２６に当たる。さらに、巻きカラー２２を取付孔２０の内部に挿通していくと、巻きカラー２２の後端部４２と凸部２６とが摺動しながら、巻きカラー２２はさらに縮径する。このとき、巻きカラー２２の挿入力のピークが訪れるが、巻きカラー２２の後端部４２、及び、取付孔２０の内周面２４の凸部２６は、それぞれテーパー状をなしていることから、巻きカラー２２は縮径し易くなり、巻きカラー２２の挿入力の増加が抑えられる。
【００２５】
さらに、巻きカラー２２を取付孔２０の内部に挿通していくと、巻きカラー２２の外周面３２が凸部２６と摺動しながら、巻きカラー２２は後方に押し込まれ、取付孔２０内の凸部２６に、巻きカラー２２の凹部３６が嵌まり込む。これにより、凸部２６と凹部３６とが嵌合して取付孔２０の軸方向に係止し、巻きカラー２２は、取付孔２０の軸方向に保持されるとともに、巻きカラー２２の縮径による径方向外側への反力により、巻きカラー２２の外周面３２が取付孔２０の内周面２４に弾性的に当接する。以上により、巻きカラー２２は取付孔２０に装着される。
【００２６】
なお、取付孔２０の凸部２６は、取付孔２０の前方の開口部２８と後方の開口部３０との間の中央に位置していることから、巻きカラー２２を後方から装着する場合でも、挿入力のピークは、巻きカラー２２を前方から装着する場合と同じタイミングで訪れる。
【００２７】
以上のように本実施形態によれば、巻きカラー２２が取付孔２０に装着されると、巻きカラー２２の外径Ｒ１は取付孔２０の内径Ｒ２よりも大きいことから巻きカラー２２が縮径しながら撓んで反力を生じさせるとともに、凹部（第１嵌合部）３６と凸部（第２嵌合部）２６とが嵌合して取付孔２０の軸方向に係止可能となるため、巻きカラー２２の反力のみによって巻きカラー２２を取付孔２０に装着する場合よりも巻きカラー２２が取付孔２０から抜け落ちることが抑制される。
【００２８】
また、巻きカラー２２の外周面３２に周設された凹部３６と、取付孔２０の内周面２４に周設された凸部２６とが嵌合することで、巻きカラー２２が取付孔２０から抜け落ちることが抑制される。
【００２９】
また、巻きカラー２２を取付孔２０に取付ける際に、巻きカラー２２の外周面３２の後端部（端部）４２が取付孔２０の内周面２４に設けられた凸部２６に当たることとなるが、凸部２６は先端に向けて径が細くなるテーパー状をなしているため、巻きカラー２２は径が小さくなる方向に撓み易くなる。これにより、巻きカラー２２の挿入力を低減することができる。
【００３０】
また、巻きカラー２２を取付孔２０に圧入して装着する際の巻きカラー２２の挿入力のピークは、巻きカラー２２の外周面３２が凸部２６に乗り上げる際に訪れるが、この凸部２６は、取付孔２０の前方の開口部（一方の開口部）２８と後方の開口部（他方の開口部）３０との間の中央に位置しているため、巻きカラー２２を取付孔２０の前方の開口部（一方の開口部）２８側から取り付けても、後方の開口部（他方の開口部）３０側から取り付けても、挿入力のピークを同じタイミングにすることができる。
【００３１】
また、巻きカラー２２を取付孔２０に取付ける際に、巻きカラー２２の外周面３２の後端部（端部）４２が取付孔２０の内周面２４に設けられた凸部２６に当たることとなるが、巻きカラー２２の外周面３２の後端部（端部）４２はテーパー状をなしているため、巻きカラー２２は縮径する方向に撓み易くなる。これにより、巻きカラー２２の挿入力を低減することができる。
【００３２】
＜他の実施形態＞
本明細書によって開示される技術は上記記述及び図面によって説明した実施形態に限定されるものではなく、例えば次のような種々の態様も含まれる。
（１）本実施形態では、巻きカラー２２に凹部３６を設け、取付孔２０に凸部２６を設ける構成としたが、巻きカラーに凸部を設け、取付孔に凹部を設ける構成にしても良い。
（２）本実施形態では、取付孔２０の内周面２４に凸部２６を周設する構成としたが、例えば、取付孔の内周面に突起部を設ける構成とし、巻きカラー２２の凹部３６に取付孔内の突起部を嵌合させる構成としても良い。また、取付孔の内周面に突起部を複数設ける構成としても良い。
（３）本実施形態では、巻きカラー２２の前端部３８は、テーパー状をなす構成としたが、巻きカラーの前端部３８にテーパーを設けず、巻きカラーの前端部にフランジを周設する構成とし、巻きカラーが後方に抜け落ちることを抑制しても良い。また、フランジは、巻きカラーの前端部ではなく、巻きカラーの後端部に設ける構成としても良い。
【符号の説明】
【００３３】
１０：コネクタ
１２：取付部
２０：取付孔
Ｒ２：内径
２４：内周面
２６：凸部（第２嵌合部）
２８：前方の開口部（一方の開口部）
３０：後方の開口部（他方の開口部）
２２：巻きカラー
３４：スリット
Ｒ１：外径
３２：外周面
３８：前端部
４２：後端部
３６：凹部（第１嵌合部）
４０：前面（端面）
４４：後面（端面）
【図１】
2019192396.tif 000003
【図２】
2019192396.tif 000004
【図３】
2019192396.tif 000005
【図４】
2019192396.tif 000006
【図５】
2019192396.tif 000007
【図６】
2019192396.tif 000008
【図７】
2019192396.tif 000009
【図８】
2019192396.tif 000010
【図９】
2019192396.tif 000011